(57)【要約】【課題】使用時に文字等を表示し、非使用時に文字等を表示しない押釦を簡易に実現する技術を提供する。【解決手段】押釦部３６は、押圧操作による機能が上面に示される。カバー部３４は、押釦部３６の少なくとも上面を覆う。押釦部３６は、カバー部３４の上面が押圧操作されると押圧方向に移動する。押釦部３６は、下側から光が照射された場合に上面を透過させるように光を導く。カバー部３４の上面は、スモーク材で形成されるとともに、押釦部３６の上面からの光を透過させる。カバー部３４の上面と押釦部３６の上面との間には、空隙９０が形成される。【選択図】図５
2017174759.tif 000002
【特許請求の範囲】
【請求項１】
押圧操作による機能が上面に示される押釦部と、
前記押釦部の少なくとも上面を覆うカバー部とを備え、
前記押釦部は、前記カバー部の上面が押圧操作されると押圧方向に移動し、
前記押釦部は、下側から光が照射された場合に上面を透過させるように光を導き、
前記カバー部の上面は、スモーク材で形成されるとともに、前記押釦部の上面からの光を透過させ、
前記カバー部の上面と前記押釦部の上面との間には、空隙が形成されることを特徴とする押釦装置。
【請求項２】
前記押釦部の上面には、複数の機能が示され、
前記押釦部は、上面に示された機能毎の光路を形成するために、下側から上面に向かって延びる壁部を備えることを特徴とする請求項１に記載の押釦装置。
【請求項３】
前記カバー部は、押圧方向に延びる軸線周りを回転可能なダイヤル式の操作部であり、
前記押釦部は、前記カバー部の回転に非連動であることを特徴とする請求項１または２に記載の押釦装置。
【発明の詳細な説明】
【技術分野】
【０００１】
本発明は、押釦装置に関し、特に操作者に操作される押釦装置に関する。
【背景技術】
【０００２】
各種製品のデザインあるいは色調等の多様化にともなって、新たな機能を有し、かつ多彩なデザインを表示可能な押釦の実現が期待される。そのため、釦内部にアルミニウム蒸着箔を使用してハーフミラー層が形成されることによって、釦非点灯時には鏡面となり、点灯時にはハーフミラー層裏面の文字を透過する押釦が提案されている（例えば、特許文献１参照）。
【先行技術文献】
【特許文献】
【０００３】
【特許文献１】特開２００２−１９０２２６号公報
【発明の概要】
【発明が解決しようとする課題】
【０００４】
電子機器を非使用の場合に押釦に文字等が非表示であれば、非使用時の外観品位が向上する。しかしながら、アルミニウム蒸着箔の追加は材料費等の増加につながるおそれがある。
【０００５】
本発明はこうした状況に鑑みてなされたものであり、その目的は、使用時に文字等を表示し、非使用時に文字等を表示しない押釦を簡易に実現する技術を提供することにある。
【課題を解決するための手段】
【０００６】
上記課題を解決するために、本発明のある態様の押釦装置は、押圧操作による機能が上面に示される押釦部と、押釦部の少なくとも上面を覆うカバー部とを備える。押釦部は、カバー部の上面が押圧操作されると押圧方向に移動し、押釦部は、下側から光が照射された場合に上面を透過させるように光を導き、カバー部の上面は、スモーク材で形成されるとともに、押釦部の上面からの光を透過させ、カバー部の上面と押釦部の上面との間には、空隙が形成される。
【発明の効果】
【０００７】
本発明によれば、使用時に文字等を表示し、非使用時に文字等を表示しない押釦を簡易に実現できる。
【図面の簡単な説明】
【０００８】
【図１】本発明の実施例に係る電子機器が搭載される車室内を後方から見た外観図である。
【図２】図１の電子機器の外観を示す斜視図である。
【図３】図２の押釦装置の外観を示す斜視図である。
【図４】図２の押釦装置の外観を示す分解斜視図である。
【図５】図５（ａ）−（ｂ）は、図２の押釦装置の構成を示す正面図および断面図である。
【図６】図６（ａ）−（ｄ）は、図３のカバー上面における表示を示す図である。
【図７】図１の電子機器の構成を示す図である。
【発明を実施するための形態】
【０００９】
本発明を具体的に説明する前に、概要を述べる。本発明の実施例は、押釦装置を備える電子機器に関する。電子機器の一例は、カーオーディオ装置、カーナビゲーション装置等の車載装置である。運転者は、押釦装置を操作することによって、電子機器に指示を入力する。押釦装置の上面には、当該押釦装置に押圧操作を加えることによって電子機器において実行される機能が文字あるいはアイコンとして表示される。非使用時の外観品位を向上するためには、電子機器を使用している場合にだけ文字あるいはアイコンが表示され、電子機器を使用していない場合に文字あるいはアイコンが表示されない方が望ましい。また、これを実現するための材料費等の増加は少ない方が望ましい。そこで、本実施例に係る押釦装置は以下のように構成される。なお、以下の説明において、「平行」、「直交」は、完全な平行、直交だけではなく、誤差の範囲で平行、直交からずれている場合も含むものとする。また、「略」は、おおよその範囲で同一であるという意味である。
【００１０】
図１は、電子機器１００が搭載される車室内を後方から見た外観図である。車室内の前方において、右側に運転席６が配置され、左側に助手席８が配置され、運転席６の前方にはハンドル４が配置されている。なお、図１においてはハンドル４および運転席６が右側に配置されているが、これらは左側に配置されてもよい。さらに、ハンドル４の前方にはフロントガラス２が配置される。また、ハンドル４の側方、例えば左方のセンターコンソールには、電子機器１００が嵌め込まれる。電子機器１００は、例えば、カーオーディオ装置のような車載装置として構成される。電子機器１００は、図示しないケーブルを介してスピーカ１６を接続する。スピーカ１６は、左右のドアの内部に配置される。
【００１１】
図２は、電子機器１００の外観を示す斜視図である。電子機器１００は、電子機器筐体１０、押釦装置２０と総称される第１押釦装置２０ａ、第２押釦装置２０ｂを含む。また、電子機器筐体１０は、電子機器本体枠１２、表示パネル１４を含む。図２に示すように、ｘ軸、ｙ軸、ｚ軸からなる直交座標系が規定される。ｙ軸、ｚ軸は、電子機器１００に備えられた表示パネル１４の平面内において互いに直交する。ｘ軸は、ｙ軸およびｚ軸に垂直であり、電子機器１００の厚み方向に延びる。また、ｘ軸、ｙ軸、ｚ軸のそれぞれの正の方向は、図２における矢印の方向に規定され、負の方向は、矢印と逆向きの方向に規定される。ここで、ｘ軸の正方向が図１の運転席６、助手席８の方向であり、「上面側」あるいは「上側」ということもあり、ｘ軸の負方向が図１のフロントガラス２の方向であり、「下面側」あるいは「下側」ということもある。
【００１２】
電子機器１００の電子機器筐体１０は、略直方体状に形成されている。電子機器筐体１０のｘ軸の正方向側には電子機器本体枠１２が設けられる。電子機器本体枠１２は、表示パネル１４を囲んだ額縁状の形状を有し、表示パネル１４の周縁部をｘ軸の正方向側から支える。表示パネル１４は、映像、画像、メニュー等を表示する。なお、表示パネル１４は、タッチ操作可能なディスプレイ、つまりタッチパネルを含んだ表示パネルであってもよい。また、電子機器本体枠１２には、第１押釦装置２０ａおよび第２押釦装置２０ｂが設けられ、これらは同様に構成される。第１押釦装置２０ａおよび第２押釦装置２０ｂは運転者によって操作され、電子機器１００への指示を受けつける。ここで押釦装置２０の数は「２」に限定されない。
【００１３】
図３は、押釦装置２０の外観を示す斜視図である。図４は、押釦装置２０の外観を示す分解斜視図である。図４に示されるように、ｘ軸の負方向から正方向に向かって、中空エンコーダ部３０、押釦部３６、ホルダ部３２、カバー部３４が順に配置される。中空エンコーダ部３０において、中空エンコーダ本体部４０は環状の形状を有する。中空エンコーダ本体部４０のｘ軸の正方向側の面から、ｘ軸の方向側に突出するように軸部４２が設けられる。軸部４２は筒状の形状を有する。
【００１４】
押釦部３６において、押釦本体部７０はｘ軸方向に延びる筒状の形状を有する。押釦本体部７０の外径は軸部４２の内径よりも小さくされる。押釦本体部７０のｘ軸の正方向側端を塞ぐように、ｙ−ｚ平面に広がる押釦上面７２が設けられる。押釦上面７２には第１機能表示８２ａと第２機能表示８２ｂが配置される。第１機能表示８２ａは「ＭＥＮＵ」の文字を示し、第２機能表示８２ｂは「ＳＥＬＥＣＴ」の文字を示す。これらは押釦装置２０をｘ軸の負方向側に押圧操作した場合に電子機器１００に実行させる機能を示すが、文字に限定されずアイコン等であってもよい。ここで押釦上面７２は、クリア材などの光の遮光性が低い材料で形成される。押釦上面７２における機能表示８２以外の部分は、黒色等の光の遮光性が高い色で示される。機能表示８２以外の部分は、塗装、印刷等により設けられる。一方、押釦上面７２における機能表示８２の部分は、乳白色あるいはクリア等の光の遮光性が低い色で示される。機能表示８２は、塗装、レーザカット、印刷等により設けられる。このように、押釦上面７２には、押圧操作による機能を示すための複数の機能表示８２が示される。
【００１５】
ホルダ部３２において、第１筒部５０はｘ軸方向に延びる筒状の形状を有する。第１筒部５０の内径は、押釦本体部７０、軸部４２の外径よりも大きくされる。第１筒部５０のｘ軸の正方向側端には第２筒部５２が形成される。第２筒部５２はｘ軸方向に延びる筒状の形状を有する。第２筒部５２の内径および外径は、第１筒部５０の内径および外径よりも小さくされる。
【００１６】
カバー部３４において、カバー側面６０はｘ軸方向に延びる筒状の形状を有する。カバー側面６０の内径は第２筒部５２の外径よりも大きくされる。カバー側面６０のｘ軸の正方向側端を塞ぐように、ｙ−ｚ平面に広がるカバー上面６２が設けられる。ここで、カバー上面６２はスモーク材のような光の遮光性が高い材料で形成される。このような中空エンコーダ部３０、押釦部３６、ホルダ部３２、カバー部３４が組み合わされると、図３のように押釦部３６は、中空エンコーダ部３０、ホルダ部３２、カバー部３４の内部に格納され、外部に露出されなくなる。
【００１７】
図５（ａ）−（ｂ）は、押釦装置２０の構成を示す正面図および断面図である。図５（ａ）は、ｘ軸の正方向側、つまり上側から押釦装置２０を見た場合の構成を示す。図示のごとく、中心部分にカバー上面６２が配置され、その周囲に中空エンコーダ部３０が配置される。図５（ｂ）は、図５（ａ）のＡ−Ａ軸に沿った断面図を示す。中空エンコーダ部３０は、中空エンコーダ本体部４０と軸部４２を含む。軸部４２の内側壁によって囲まれた部分に、押釦部３６の押釦本体部７０がｘ軸の正方向側から挿入される。また、軸部４２の外側壁を囲むように、ホルダ部３２の第１筒部５０が配置される。ここで、軸部４２の外側壁は、第１筒部５０の内側壁に対向する。
【００１８】
押釦部３６は、押釦本体部７０、押釦上面７２を含むとともに、壁部７４も含む。押釦本体部７０の外側壁を囲むように、中空エンコーダ部３０の軸部４２、ホルダ部３２の第２筒部５２、カバー部３４のカバー側面６０が配置される。つまり、押釦本体部７０の外側壁は、これらの内側壁に対向する。押釦本体部７０のｘ軸の正方向側には、押釦上面７２が配置される。押釦本体部７０のｘ軸の負方向側の面において、ｚ軸方向の中央部分には壁部７４が配置される。壁部７４は、板状の形状を有しており、ｘ軸方向に延びるとともに、押釦本体部７０の内側壁に接続するまでｙ軸方向にも延びる。押釦本体部７０および押釦上面７２によって囲まれた空間は、壁部７４によって２つの空間に分離される。２つの空間は第１導光部８６ａと第２導光部８６ｂである。第１導光部８６ａは押釦上面７２における第１機能表示８２ａに接し、第２導光部８６ｂは押釦上面７２における第２機能表示８２ｂに接する。
【００１９】
ホルダ部３２は、第１筒部５０、第２筒部５２を含む。第１筒部５０の内側壁によって囲まれた部分に、中空エンコーダ部３０の軸部４２がｘ軸の負方向側から挿入される。ここで、第１筒部５０の内側壁は、軸部４２の外側壁に対向する。また、第２筒部５２の内側壁によって囲まれた部分に、押釦部３６の押釦本体部７０がｘ軸の正方向側から挿入される。第２筒部５２の外側壁を囲むように、カバー部３４のカバー側面６０が配置される。ここで、第２筒部５２の外側壁は、カバー側面６０の内側壁に対向する。
【００２０】
カバー部３４は、カバー側面６０、カバー上面６２を含む。カバー側面６０の内側壁で囲まれた部分に、押釦部３６の押釦本体部７０がｘ軸の負方向側から挿入される。ここで、カバー側面６０の内側壁は、押釦本体部７０の外側壁に対向する。カバー側面６０のｘ軸の正方向側には、カバー上面６２が配置される。カバー上面６２は、押釦部３６の押釦上面７２よりもｘ軸の正方向側に配置されることによって、カバー上面６２は押釦上面７２を上面から覆う。なお、カバー上面６２のｘ軸の負方向側の面において、外環の部分が押釦上面７２に接する。
【００２１】
このように構成された押釦装置２０は、運転者からの押圧操作および回転操作を受付可能である。押圧操作として、運転者は、カバー上面６２をｘ軸の正方向側から負方向側に押圧する。この押圧操作に応じて、カバー部３４自体および押釦上面７２がｘ軸の負方向側に移動することによって、押釦部３６が押圧方向に移動する。その結果、スイッチ部８０が押圧される。スイッチ部８０は、後述する電子機器１００の内部に、押圧されたことに対応する信号を出力する。なお、スイッチ部８０の構成は公知であるので、ここでは説明を省略する。なお、押圧操作によって、カバー部３４および押釦部３６はｘ軸の負方向側に移動するが、中空エンコーダ部３０およびホルダ部３２は移動しない。
【００２２】
回転操作のために、カバー部３４は、押圧方向に延びる軸線Ｘの周りを回転可能なダイヤル式の操作部である。具体的に説明すると、カバー部３４は、内側に配置された押釦部３６を回転軸として回転する。一方、押釦部３６は、回転軸として機能するので、カバー部３４の回転に非連動である。これにより、カバー部３４が回転しても、押釦部３６の押釦上面７２に配置された機能表示８２は回転しない。カバー部３４にはホルダ部３２が接続されており、カバー部３４の回転操作に連動してホルダ部３２も回転する。中空エンコーダ本体部４０における軸部４２の外側壁には、図示しない回転検出部が配置され、回転検出部はホルダ部３２における第１筒部５０の回転の状況を検出する。つまり、回転検出部は、第１筒部５０の回転の機械的変位量を電気信号に変換し、この信号を処理して位置・速度などを検出する。回転検出部は、インクリメンタル形、アブソリュート形に分類されるが、ここではいずれが使用されてもよい。なお、回転操作によって、中空エンコーダ本体部４０は回転しない。
【００２３】
押釦部３６に形成された第１導光部８６ａに対してｘ軸の負方向側には第１発光部８４ａが配置され、押釦部３６に形成された第２導光部８６ｂに対してｘ軸の負方向側には第２発光部８４ｂが配置される。発光部８４は、例えば、ＬＥＤ（Ｌｉｇｈｔ  Ｅｍｉｔｔｉｎｇ  Ｄｉｏｄｅ）であり、２０００ｍｃｄの光度を有する。第１発光部８４ａから照射された光は、第１導光部８６ａを伝わって押釦上面７２に到達し、第１機能表示８２ａの部分において透過される。一方、当該光は、第１機能表示８２ａの周囲の部分において透過されない。ここで、導光部８６から押釦上面７２までの距離は、例えば、２８．５ｍｍである。押釦上面７２からの光は、カバー上面６２において透過される。その結果、第１機能表示８２ａの部分が点灯することによって、第１機能表示８２ａが表示される。
【００２４】
一方、第１発光部８４ａが光を照射してなければ、第１導光部８６ａにおいて光が伝えられないので、第１機能表示８２ａの部分が点灯されない。さらに、押釦上面７２とカバー上面６２との間に空隙９０が形成され、かつカバー上面６２はスモーク材であるので、第１機能表示８２ａは表示されない。これらは、第２発光部８４ｂ、第２導光部８６ｂ、第２機能表示８２ｂについても同様である。
【００２５】
壁部７４は光を遮蔽するので、第１発光部８４ａが光を照射し、かつ第２発光部８４ｂが光を照射しない場合、第１機能表示８２ａが表示され、第２機能表示８２ｂが表示されない。これは、第１発光部８４ａが光を照射せず、かつ第２発光部８４ｂが光を照射する場合も同様である。このように、押釦部３６における壁部７４は、押釦上面７２に示された機能表示８２毎の光路である導光部８６を形成するために下側から上面に向かって延びており、押釦部３６における導光部８６は、下側から光が照射された場合に押釦上面７２を透過させるように光を導く。
【００２６】
ここで、空隙９０とカバー上面６２には、発光部８４によって光が照射された場合の透光性と、発光部８４によって光が照射されない場合の遮光性との両立が求められる。それを実現するために、カバー上面６２の透光率として１０％〜２０％、空隙９０のｘ軸方向の長さとして０．５ｍｍ〜５．０ｍｍが好ましい。
【００２７】
図６（ａ）−（ｄ）は、カバー上面６２における表示を示す。図６（ａ）は、第１発光部８４ａおよび第２発光部８４ｂが光を照射しない場合での表示である。第１機能表示８２ａおよび第２機能表示８２ｂは表示されない。図６（ｂ）は、第１発光部８４ａおよび第２発光部８４ｂが光を照射する場合での表示である。第１機能表示８２ａおよび第２機能表示８２ｂは表示される。図６（ｃ）は、第１発光部８４ａが光を照射し、かつ第２発光部８４ｂが光を照射しない場合での表示である。第１機能表示８２ａが表示されるが、第２機能表示８２ｂは表示されない。図６（ｄ）は、第１発光部８４ａが光を照射せず、かつ第２発光部８４ｂが光を照射する場合での表示である。第１機能表示８２ａが表示されないが、第２機能表示８２ｂは表示される。
【００２８】
図７は、電子機器１００の構成を示す。電子機器１００は、スイッチ部８０、回転検出部２００、制御部２０２、記憶部２０４、音声処理部２０６、表示処理部２０８、発光処理部２１０、表示パネル１４、第１発光部８４ａ、第２機能表示８２ｂを含む。電子機器１００は、スピーカ１６を接続する。
【００２９】
制御部２０２は、電子機器１００におけるカーオーディオ機能等を実行する。例えば、カーオーディオ機能において、再生すべき曲を選択する場面では、制御部２０２が、記憶部２０４に記憶された曲をもとにメニュー画面を生成する。制御部２０２はメニュー画面を表示処理部２０８に出力し、表示処理部２０８はメニュー画面を表示パネル１４に表示させる。このような選択の場面では、メニュー画面に示された複数の曲の中から運転者に曲を選択させる必要があるので、図６（ｄ）のように第２機能表示８２ｂが表示されるべきである。そのため、制御部２０２は、第２発光部８４ｂの点灯、第１発光部８４ａの消灯を決定し、決定内容を発光処理部２１０に通知する。発光処理部２１０は、制御部２０２から通知にしたがって第２発光部８４ｂを点灯させ、第１発光部８４ａを消灯させる。
【００３０】
このような状況下において、運転者は、押釦装置２０に対する回転操作によって曲を選択し、押釦装置２０に対する押圧操作によって曲の再生を決定する。このような操作は、スイッチ部８０および回転検出部２００によって検出される。制御部２０２は、スイッチ部８０および回転検出部２００での検出結果をもとに、記憶部２０４から曲を選択して再生する。特に、制御部２０２は、第２発光部８４ｂの点灯、第１発光部８４ａの消灯を予め決定しているので、スイッチ部８０での検出結果は、第２機能表示８２ｂに対応した機能の実行であると解釈する。
【００３１】
制御部２０２は再生した曲を音声処理部２０６に出力し、音声処理部２０６は曲をスピーカ１６から出力する。このような再生中の場面では、メニュー画面に戻る可能性があるので、図６（ｃ）のように第１機能表示８２ａが表示されるべきである。そのため、制御部２０２は、第１発光部８４ａの点灯、第２発光部８４ｂの消灯を決定し、決定内容を発光処理部２１０に通知する。発光処理部２１０は、制御部２０２から通知にしたがって第１発光部８４ａを点灯させ、第２発光部８４ｂを消灯させる。
【００３２】
この構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ハードウエアとソフトウエアの組合せによっていろいろな形で実現できることは、当業者には理解されるところである。
【００３３】
本発明の実施例によれば、カバー上面６２がスモーク材で形成され、カバー上面６２と押釦上面７２との間に空隙９０が形成されるので、光が照射されない場合に、カバー上面６２に機能表示８２を表示させなくできる。また、カバー上面６２に機能表示８２が表示されないので、非使用時の外観品位を向上できる。また、カバー上面６２がスモーク材で形成され、カバー上面６２と押釦上面７２との間に空隙９０が形成されるので、光が照射される場合に、カバー上面６２に機能表示８２を表示できる。
【００３４】
また、カバー上面６２に機能表示８２が表示されるので、押圧操作によって受けつける機能を明確にできる。また、押圧操作によって受けつける機能が明確であるので、運転者の利便性を向上できる。また、カバー上面６２がスモーク材で形成し、カバー上面６２と押釦上面７２との間に空隙９０を形成するだけなので、使用時に文字等を表示し、非使用時に文字等を表示しない押釦を簡易に実現できる。
【００３５】
また、複数の機能表示８２を示し、かつそれに合わせて壁部７４を設けるので、複数の機能表示８２のいずれかを選択的に表示できる。また、カバー部３４が回転し、押釦部３６が非回転であるので、回転操作を受けつけることができる。また、回転操作が受けつけられるので、運転者の利便性を向上できる。また、カバー部３４が回転し、押釦部３６が非回転であるので、カバー部３４が回転しても、機能表示８２を非回転にできる。
【００３６】
本発明の一態様の概要は、次の通りである。本発明のある態様の押釦装置は、押圧操作による機能が上面に示される押釦部と、押釦部の少なくとも上面を覆うカバー部とを備える。押釦部は、カバー部の上面が押圧操作されると押圧方向に移動し、押釦部は、下側から光が照射された場合に上面を透過させるように光を導き、カバー部の上面は、スモーク材で形成されるとともに、押釦部の上面からの光を透過させ、カバー部の上面と押釦部の上面との間には、空隙が形成される。
【００３７】
押釦部の上面には、複数の機能が示され、押釦部は、上面に示された機能毎の光路を形成するために、下側から上面に向かって延びる壁部を備えてもよい。
【００３８】
カバー部は、押圧方向に延びる軸線周りを回転可能なダイヤル式の操作部であり、押釦部は、カバー部の回転に非連動であってもよい。
【００３９】
以上、本発明を実施例をもとに説明した。この実施例は例示であり、それらの各構成要素あるいは各処理プロセスの組合せにいろいろな変形例が可能なこと、またそうした変形例も本発明の範囲にあることは当業者に理解されるところである。
【００４０】
本実施例において、押釦上面７２には、２つの機能表示８２が配置されている。しかしながらこれに限らず例えば、押釦上面７２には１つの機能表示８２だけが配置されてもよい。その際、壁部７４は不要であり、発光部８４および導光部８６は１つになる。本変形例によれば、構成の自由度を向上できる。
【００４１】
本実施例において、押釦上面７２には、２つの機能表示８２が配置されている。しかしながらこれに限らず例えば、押釦上面７２には３つ以上の機能表示８２だけが配置されてもよい。その際、複数の壁部７４が設けられ、機能表示８２の数に応じた発光部８４および導光部８６が設けられる。本変形例によれば、構成の自由度を向上できる。
【００４２】
本実施例において、押釦装置２０は押圧操作に加えて回転操作も受けつける。しかしながらこれに限らず例えば、押釦装置２０は押圧操作だけを受けつけ、回転操作を受けつけなくてもよい。本変形例によれば、押釦装置２０の構成を簡易にできる。
【００４３】
本実施例において、電子機器１００は車載装置として構成される。しかしながらこれに限らず例えば、電子機器１００は、車載装置に限定されず、家庭用電子機器、事業用電子機器として構成されてもよい。その際、カーオーディオ機能以外の機能が実行されてもよい。本変形例によれば、適用範囲を拡大できる。
【符号の説明】
【００４４】
２  フロントガラス、  ４  ハンドル、  ６  運転席、  ８  助手席、  １０  電子機器筐体、  １２  電子機器本体枠、  １４  表示パネル、  １６  スピーカ、  ２０  押釦装置、  ３０  中空エンコーダ部、  ３２  ホルダ部、  ３４  カバー部、  ３６  押釦部、  ４０  中空エンコーダ本体部、  ４２  軸部、  ５０  第１筒部、  ５２  第２筒部、  ６０  カバー側面、  ６２  カバー上面、  ７０  押釦本体部、  ７２  押釦上面、  ７４  壁部、  ８０  スイッチ部、  ８２  機能表示、  ８４  発光部、  ８６  導光部、  ９０  空隙、  １００  電子機器。
【図１】
2017174759.tif 000003
【図２】
2017174759.tif 000004
【図３】
2017174759.tif 000005
【図４】
2017174759.tif 000006
【図５】
2017174759.tif 000007
【図６】
2017174759.tif 000008
【図７】
2017174759.tif 000009